(57)【要約】【課題】  動力ツールがケースのハンドルを形成するように構成されたケース、およびこのケースのオーガナイザートレイを提供すること。【解決手段】  動力ツールのためのケースであって、以下：  第一のケーシングセクション；および  ケーシングのヒンジ線に沿って該第一のケーシングセクションに連結された、第二のケーシングセクション、を備え、  該第一のケーシングセクションおよび第二のケーシングセクションのうちの少なくとも一方が、第一の開口部および第二の開口部を備え、該第一の開口部は、動力ツールの第一の端部を捕捉するように構成され、そして該第二の開口部は、動力ツールの第二の端部を捕捉するように構成され、その結果、動力ツールが、該第一の開口部および第二の開口部によって、該動力ツールの第一の端部および第二の端部で捕捉される場合に、該動力ツールが、該ケースのためのハンドルとして働く、ケース。【選択図】  図１
2006321003.tif 000002
【特許請求の範囲】
【請求項１】
動力ツールのためのケースであって、以下：
第一のケーシングセクション；および
ケーシングのヒンジ線に沿って該第一のケーシングセクションに連結された、第二のケーシングセクション、
を備え、
該第一および第二のケーシングセクションは、該ケーシングのヒンジ線に沿って一緒に折り畳まれて、該第一のケーシングセクションと第二のケーシングセクションとの間に、閉じ込められた空洞を形成するように構成されており、該第一のケーシングセクションおよび第二のケーシングセクションのうちの少なくとも一方が、第一の開口部および第二の開口部を備え、該第一の開口部は、動力ツールの第一の端部を捕捉するように構成され、そして該第二の開口部は、動力ツールの第二の端部を捕捉するように構成され、その結果、動力ツールが、該第一の開口部および第二の開口部によって、該動力ツールの第一の端部および第二の端部で捕捉される場合に、該動力ツールが、該ケースのためのハンドルとして働く、ケース。
【請求項２】
前記第一のケーシングセクションおよび第二のケーシングセクションが、プラスチック材料から作製されている、請求項１に記載のケース。
【請求項３】
前記第一のケーシングが、カバー部材であり、そして前記第二のケーシングが、ベース部材であり、前記第一の開口部が、該ベース部材に規定されており、そして前記第二の開口部が、該ベース部材に規定されている、請求項１に記載のケース。
【請求項４】
少なくとも１つの捕捉部材が、対応する開口部内に前記動力ツールを捕捉することを補助するために、第一の開口部および第二の開口部の一方または両方に付随している、請求項１に記載のケース。
【請求項５】
前記捕捉部材が、前記空洞の内部に配置されたリブであり、そして動力ツールの一部分と嵌合するように構成されている、請求項４に記載のケース。
【請求項６】
前記第一の開口部が、前記ベース部材の側面に、該ベース部材の頂部の近くで規定されており、そして前記第二の開口部が、該ベース部材の上方に面する表面に、該ベース部材の底部の近くで規定されている、請求項３に記載のケース。
【請求項７】
前記第一の開口部が、前記カバー部材においてさらに規定されており、その結果、該第一の開口部が、該カバー部材と前記ベース部材との間に延びる、請求項３に記載のケース。
【請求項８】
前記ケーシングのヒンジ線に沿って配置された複数のヒンジ、および前記第一のケーシングセクションと第二のケーシングセクションとの間に配置された複数の掛金構成要素をさらに備え、該掛金構成要素が、掛金がかかった位置にある場合に、該第一のケーシングセクションおよび第二のケーシングセクションを一緒にロックする、請求項１に記載のケース。
【請求項９】
各掛金構成要素が、前記第一のケーシングセクションまたは第二のケーシングセクションのうちの一方に連結された可動掛金部分、および該第一のケーシングセクションまたは第二のケーシングセクションのうちの他方に連結された留金を備え、該留金は、該可動掛金部分とロックして嵌合するための表面を有する、請求項８に記載のケース。
【請求項１０】
各掛金部分が、ヒンジによってそれぞれのケーシングに取り付けられており、そして各掛金部分が、対応する留金と嵌合するためのリップを備える、請求項９に記載のケース。
【請求項１１】
前記ケーシングのヒンジ線に沿った前記ヒンジが、一体ヒンジであり、そして前記掛金部分の前記ヒンジが、一体ヒンジである、請求項１０に記載のケース。
【請求項１２】
３つの掛金構成要素が、前記ケースの外周の少なくとも一部分の周りに、互いに間隔を空けた関係で提供されている、請求項８に記載のケース。
【請求項１３】
前記空洞内に規定された少なくとも１つの連結部材をさらに備え、該少なくとも１つの連結部材は、前記第一のケーシングセクションおよび第二のケーシングセクションのうちの少なくとも一方に関連しており、そして格納トレイを受容するために構成されている、請求項１に記載のケース。
【請求項１４】
前記連結部材が、格納トレイの端部を受容して該トレイを前記空洞内の固定された位置に保持するために構成された対向するチャネルを備える、請求項１３に記載のケース。
【請求項１５】
前記第一のケーシングセクションおよび第二のケーシングセクションによって規定される前記空洞が、前記第二の開口部の近隣において、動力ツールのバッテリーパックを受容するように構成されている、請求項１に記載のツール。
【請求項１６】
前記動力ツールが、第一の端部においてチャックおよびカラーを有し、そして第二の端部においてバッテリーパックを有する、コードレスドリルであり、該ドリルのハンドルが、該第一の端部と第二の端部との間に配置されており、前記第一の開口部は、該ドリルの該チャックおよびカラーを捕捉するように構成されており、そして前記第二の開口部は、該ドリルの該バッテリーパックを捕捉するように構成されている、請求項１に記載のケース。
【請求項１７】
前記空洞が、付属品を格納するための複数の凹部を備える、請求項１に記載のケース。
【請求項１８】
動力ツールと共に使用するための格納トレイであって、以下：
第一の半体および第二の半体を有するプレート部材であって、複数の連結要素が、該第一の半体の外面および該第二の半体の外面の少なくとも一方に配置されており、ヒンジ線が、該第一の半体と第二の半体との間に規定されており、該第一の半体および第二の半体が、該ヒンジ線に沿って互いに重ねて折り畳まれるように構成されており、その結果、該第一の半体および第二の半体の外面が、互いに逆の方に面し、該プレート部材が、開位置および折り畳み位置を有し、該開位置において、該連結要素の全てが、実質的に同じ面内に配置され、そして該折り畳み位置において、該第一の半体上の連結要素が、該第二の半体上の連結要素に対して逆の方に面する、格納トレイ。
【請求項１９】
前記プレート部材が、「Ｈ型」のプロフィールを有し、ブリッジ部材が、該「Ｈ型」の中間に配置され、前記ヒンジ線が、該ブリッジ部材上に配置され、前記連結要素が、ツールを受容するように構成されており；そして
該プレート部材および連結要素が、プラスチック材料から作製されており、
該プレートが該ヒンジ線に沿って半分に折り畳まれる場合に、該ブリッジ部材が、使用者による把持のために構成されるタブを形成する、
請求項１８に記載の格納トレイ。
【請求項２０】
動力ツールのためのキャリングケースシステムであって、以下：
請求項１に記載のケース；および
少なくとも１つの、請求項１８に記載の格納トレイ、
を備え、
該ケースは、前記第一のケーシングセクションと第二のケーシングセクションとの間の空洞内に規定される、少なくとも１つの連結部材を備え、該連結部材は、該トレイが折り畳み位置である場合に、該少なくとも１つのトレイを該空洞と連結するように構成されている、キャリングケースシステム。
【請求項２１】
前記少なくとも１つの連結部材が、前記空洞内に配置された１対のチャネルであり、該チャネルは、互いに対向する関係で配置されており、そして前記格納トレイの前記第一の端部および第二の端部と嵌合するように構成されている、請求項２０に記載のキャリングケースシステム。
【発明の詳細な説明】
【技術分野】
【０００１】
（分野）
本技術は、動力ツールのためのケースおよびオーガナイザートレイに関する。特に、本技術は、動力ツールがケースのハンドルを形成するように構成されたケース、およびこのケースのオーガナイザートレイに関する。
【背景技術】
【０００２】
（背景）
ツールのためのキャリングケースは公知である。これらは一般に、フロントカバー、および硬質プラスチック材料から作製されるベース部材を備える。カバーは、ケースを形成するために、ヒンジ線に沿って、ベース部材の上に折り畳まれる。カバーおよび／またはベースは、代表的に、成型された内面を有し、この内面は、動力ツール（例えば、ドリル、ねじ回し、鋸、ネイラー（ｎａｉｌｅｒ）、または他のツール）を受容し、そして保持するような形状にされる。多くのケースはまた、付属品（例えば、ドリルビット、鋸、釘、ねじ、ほこりよけカバー、ラインコードなど）を格納するための格納開口部を、このケースの内部に提供する。カバー部材およびベース部材の一方または両方が、代表的に、ハンドルを備える。いくつかの場合において、このハンドルは、カバー部材とベース部材との両方に形成される、成型された開口部であり、それゆえ、このカバーがベース部材の上に閉じられる場合に、これらの開口部が一緒になって、ハンドルを提供する。他の場合において、別個のハンドルが、カバー部材およびベース部材の一方または両方に、ヒンジで取り付けられるか、または他の様式で取り付けられる。
【０００３】
動力ツールの付属品を保持するためのトレイが公知である。１つの型のトレイは、種々の大きさのドリルビットを受容するための複数の開口部を有する、平坦なベースを備える。このトレイは、柔軟な材料から形成されて、ドリルビットがこのベースに形成される個々の開口部に挿入され、そしてこの開口部から取り出されることを可能にする。
【発明の開示】
【課題を解決するための手段】
【０００４】
上記目的を達成するために、本発明は、例えば、以下を提供する。
（項目１）
動力ツールのためのケースであって、以下：
第一のケーシングセクション；および
ケーシングのヒンジ線に沿ってこの第一のケーシングセクションに連結された、第二のケーシングセクション、
を備え、
これらの第一および第二のケーシングセクションは、このケーシングのヒンジ線に沿って一緒に折り畳まれて、この第一のケーシングセクションと第二のケーシングセクションとの間に、閉じ込められた空洞を形成するように構成されており、この第一のケーシングセクションおよび第二のケーシングセクションのうちの少なくとも一方が、第一の開口部および第二の開口部を備え、この第一の開口部は、動力ツールの第一の端部を捕捉するように構成され、そしてこの第二の開口部は、動力ツールの第二の端部を捕捉するように構成され、その結果、動力ツールが、この第一の開口部および第二の開口部によって、この動力ツールの第一の端部および第二の端部で捕捉される場合に、この動力ツールが、このケースのためのハンドルとして働く、ケース。
（項目２）
上記第一のケーシングセクションおよび第二のケーシングセクションが、プラスチック材料から作製されている、項目１に記載のケース。
（項目３）
上記第一のケーシングが、カバー部材であり、そして上記第二のケーシングが、ベース部材であり、上記第一の開口部が、このベース部材に規定されており、そして上記第二の開口部が、このベース部材に規定されている、項目１に記載のケース。
（項目４）
少なくとも１つの捕捉部材が、対応する開口部内に上記動力ツールを捕捉することを補助するために、第一の開口部および第二の開口部の一方または両方に付随している、項目１に記載のケース。
（項目５）
上記捕捉部材が、上記空洞の内部に配置されたリブであり、そして動力ツールの一部分と嵌合するように構成されている、項目４に記載のケース。
（項目６）
上記第一の開口部が、上記ベース部材の側面に、このベース部材の頂部の近くで規定されており、そして上記第二の開口部が、このベース部材の上方に面する表面に、このベース部材の底部の近くで規定されている、項目３に記載のケース。
（項目７）
上記第一の開口部が、上記カバー部材においてさらに規定されており、その結果、この第一の開口部が、このカバー部材と上記ベース部材との間に延びる、項目３に記載のケース。
（項目８）
上記ケーシングのヒンジ線に沿って配置された複数のヒンジ、および上記第一のケーシングセクションと第二のケーシングセクションとの間に配置された複数の掛金構成要素をさらに備え、これらの掛金構成要素が、掛金がかかった位置にある場合に、この第一のケーシングセクションおよび第二のケーシングセクションを一緒にロックする、項目１に記載のケース。
（項目９）
各掛金構成要素が、上記第一のケーシングセクションまたは第二のケーシングセクションのうちの一方に連結された可動掛金部分、およびこの第一のケーシングセクションまたは第二のケーシングセクションのうちの他方に連結された留金を備え、この留金は、この可動掛金部分とロックして嵌合するための表面を有する、項目８に記載のケース。
（項目１０）
各掛金部分が、ヒンジによってそれぞれのケーシングに取り付けられており、そして各掛金部分が、対応する留金と嵌合するためのリップを備える、項目９に記載のケース。
（項目１１）
上記ケーシングのヒンジ線に沿った上記ヒンジが、一体ヒンジであり、そして上記掛金部分の上記ヒンジが、一体ヒンジである、項目１０に記載のケース。
（項目１２）
３つの掛金構成要素が、上記ケースの外周の少なくとも一部分の周りに、互いに間隔を空けた関係で提供されている、項目８に記載のケース。
（項目１３）
上記空洞内に規定された少なくとも１つの連結部材をさらに備え、この少なくとも１つの連結部材は、上記第一のケーシングセクションおよび第二のケーシングセクションのうちの少なくとも一方に関連しており、そして格納トレイを受容するために構成されている、項目１に記載のケース。
（項目１４）
上記連結部材が、格納トレイの端部を受容してこのトレイを上記空洞内の固定された位置に保持するために構成された対向するチャネルを備える、項目１３に記載のケース。
（項目１５）
上記第一のケーシングセクションおよび第二のケーシングセクションによって規定される上記空洞が、上記第二の開口部の近隣において、動力ツールのバッテリーパックを受容するように構成されている、項目１に記載のツール。
（項目１６）
上記動力ツールが、第一の端部においてチャックおよびカラーを有し、そして第二の端部においてバッテリーパックを有する、コードレスドリルであり、このドリルのハンドルが、この第一の端部と第二の端部との間に配置されており、上記第一の開口部は、このドリルのこのチャックおよびカラーを捕捉するように構成されており、そして上記第二の開口部は、このドリルのこのバッテリーパックを捕捉するように構成されている、項目１に記載のケース。
（項目１７）
上記空洞が、付属品を格納するための複数の凹部を備える、項目１に記載のケース。
（項目１８）
動力ツールと共に使用するための格納トレイであって、以下：
第一の半体および第二の半体を有するプレート部材であって、複数の連結要素が、この第一の半体の外面およびこの第二の半体の外面の少なくとも一方に配置されており、ヒンジ線が、この第一の半体と第二の半体との間に規定されており、この第一の半体および第二の半体が、このヒンジ線に沿って互いに重ねて折り畳まれるように構成されており、その結果、この第一の半体および第二の半体の外面が、互いに逆の方に面し、このプレート部材が、開位置および折り畳み位置を有し、この開位置において、この連結要素の全てが、実質的に同じ面内に配置され、そしてこの折り畳み位置において、この第一の半体上の連結要素が、この第二の半体上の連結要素に対して逆の方に面する、格納トレイ。
（項目１９）
上記プレート部材が、「Ｈ型」のプロフィールを有し、ブリッジ部材が、この「Ｈ型」の中間に配置され、上記ヒンジ線が、このブリッジ部材上に配置され、上記連結要素が、ツールを受容するように構成されており；そして
このプレート部材および連結要素が、プラスチック材料から作製されており、
このプレートがこのヒンジ線に沿って半分に折り畳まれる場合に、このブリッジ部材が、使用者による把持のために構成されるタブを形成する、
項目１８に記載の格納トレイ。
（項目２０）
動力ツールのためのキャリングケースシステムであって、以下：
項目１に記載のケース；および
少なくとも１つの、項目１８に記載の格納トレイ、
を備え、
このケースは、上記第一のケーシングセクションと第二のケーシングセクションとの間の空洞内に規定される、少なくとも１つの連結部材を備え、この連結部材は、このトレイが折り畳み位置である場合に、この少なくとも１つのトレイをこの空洞と連結するように構成されている、キャリングケースシステム。
（項目２１）
上記少なくとも１つの連結部材が、上記空洞内に配置された１対のチャネルであり、これらのチャネルは、互いに対向する関係で配置されており、そして上記格納トレイの上記第一の端部および第二の端部と嵌合するように構成されている、項目２０に記載のキャリングケースシステム。
【発明を実施するための最良の形態】
【０００５】
（詳細な説明）
本明細書中に記載される教示に従って、動力ツールのためのケースは、第一のケーシングセクション、およびケーシングのヒンジ線に沿ってこの第一のケーシングセクションに連結された、第二のケーシングセクションを備える。これらの第一および第二のケーシングセクションは、ケーシングのヒンジ線に沿って一緒に折り畳まれて、第一のケーシングセクションと第二のケーシングセクションとの間に閉じ込められた空洞を形成するように構成されている。第一のケーシングセクションおよび第二のケーシングセクションのうちの少なくとも一方は、第一の開口部および第二の開口部を備える。この第一の開口部は、動力ツールの第一の端部を捕捉するように構成され、そしてこの第二の開口部は、動力ツールの第二の端部を捕捉するように構成され、その結果、動力ツールが、このツールの第一および第二の端部において、第一および第二の開口部によって捕捉される場合に、この動力ツールは、このケースのためのハンドルとして働く。少なくとも１つの捕捉部材が、動力ツールを対応する開口部に捕捉することを補助するために、第一の開口部および第二の開口部の一方または両方に付随され得る。この捕捉部材は、空洞の内部に配置されるリブであり得、そして動力ツールの一部分と嵌合するように構成される。第一および第二のケーシングセクションは、プラスチック材料から作製され得る。
【０００６】
１つの実施形態において、第一のケーシングは、カバー部材であり、そして第二のケーシングは、ベース部材であり、第一の開口部が、ベース部材に規定されており、そして第二の開口部が、ベース部材に規定されている。第一の開口部は、ベース部材の側面に、ベース部材の頂部の近くで規定され得、そして第二の開口部は、ベース部材の上面に、ベース部材の底部の近くで規定され得る。第一の開口部は、第一の開口部がカバー部材とベース部材との間に延びるように、カバー部材にさらに規定され得る。
【０００７】
複数のヒンジが、ケーシングのヒンジ線に沿って配置され得、そして複数の掛金構成要素が、第一のケーシングセクションと第二のケーシングセクションとの間に配置されて、この掛金構成要素が掛金をかけられた位置にある場合に、第一のケーシングセクションおよび第二のケーシングセクションを一緒にロックし得る。各掛金構成要素は、第一のケーシングセクションまたは第二のケーシングセクションのうちの一方に連結された、可動掛金部分、および第一のケーシングセクションまたは第二のケーシングセクションのうちの他方に連結された、留金を備え得る。この留金は、可動掛金部分とロックして嵌合するための表面を有し得る。各掛金部分は、掛金ヒンジによって、それぞれのケーシングに取り付けられ得、そして各掛金部分は、対応する留金と嵌合するためのリップを備え得る。ケーシングのヒンジ線に沿ったヒンジは、一体ヒンジであり得、そして掛金部分のヒンジは、一体ヒンジであり得る。１つの実施形態において、３つの掛金構成要素が、ケースの外周の周りに、互いに間隔を空けた関係で提供される。
【０００８】
このケースは、このケースの空洞内に規定された、少なくとも１つの連結部材を備え得る。この少なくとも１つの連結部材は、第一のケーシングセクションおよび第二のケーシングセクションのうちの少なくとも１つに付随し、そして格納トレイを受容するために構成される。この連結部材は、格納トレイの端部を受容して、このトレイを空洞内の固定された位置に保持するように構成される、複数のチャネルを備える。第一のケーシングセクションおよび第二のケーシングセクションによって規定される空洞は、第二の開口部の近隣において、動力ツールのバッテリーパックを受容するように構成される。この空洞は、さらに、付属品を格納するための複数の凹部を備え得る。
【０００９】
１つの実施形態において、動力ツールは、第一の端部にチャックおよびカラーを有し、そして第二の端部にバッテリーパックを有する、コードレスドリルである。このドリルのハンドルは、このドリルの第一の端部と第二の端部との間に位置づけられる。第一の開口部は、このドリルのチャックおよびカラーを捕捉するように構成され、そして第二の開口部は、このドリルのバッテリーパックを捕捉するように構成される。
【００１０】
別の実施形態において、動力ツールとともに使用するための格納トレイは、第一の半体および第二の半体を有するプレート部材を備え、複数の連結要素が、第一の半体の外面および第二の半体の外面のうちの少なくとも一方に配置される。ヒンジ線が、第一の半体と第二の半体との間に規定される。第一の半体および第二の半体は、第一の半体および第二の半体の外面が、互いに逆に面するように、ヒンジ線に沿って互いの上に折り畳まれるように構成される。このプレート部材は、開位置および折り畳み位置を有し、この開位置において、連結要素の全てが、実質的に同じ面内に位置し、そしてこの折り畳み位置において、第一の半体上の連結要素は、第二の半体上の連結要素に対して逆に面する。
【００１１】
このプレート部材は、「Ｈ型」プロフィールを有し得、ヒンジ線が、このＨ型の中間に位置し、そして連結要素が、ツールを受容するように構成されている。このプレート部材および連結要素は、プラスチック材料から作製され得る。
【００１２】
なお別の実施形態において、動力ツールのためのキャリングケースシステムは、上で規定されるケース、および上記のような少なくとも１つの格納トレイを備える。このケースは、第一のケーシングセクションと第二ケーシングセクションとの間の空洞内に規定される、少なくとも１つの連結部材を備え、この連結部材は、このトレイが折り畳み位置にある場合に、少なくとも１つのトレイを空洞に連結するように構成される。この連結部材は、空洞内に配置された１対のチャネルであり得、これらのチャネルは、互いに対して対向する関係で配置され、そして格納トレイの第一の端部および第二の端部と嵌合するように構成される。
【００１３】
ここで図面を参照すると、図１〜８および１６〜２０は、動力ツール１２のための例示的ケース１０を図示する。ケース１０は、上方の垂直レッグ１４および下方の水平レッグ１６を有する、「Ｌ」型を有する。ケース１０は、第一のケーシングセクション１８および第二のケーシングセクション２０を備える。開口部２２、２４が、動力ツール１２の端部２６、２８を受容するために、ケース１０に提供される。動力ツール１２の本体３０は、動力ツール１２の端部２６、２８がケース１０内に捕捉されている間に、外部に露出する。動力ツール１２のハンドル３２は、ケース１０のためのハンドルとして働く。
【００１４】
第一のケーシングセクション１８は、カバー部材であり、そして第二のケーシングセクション２０は、ベース部材である。カバー部材１８およびベース部材２０は、共通のヒンジ線３４に沿って一緒に連結されて、内部を有するケース１０を形成する。図示される実施形態において、複数のヒンジ３６が、ケーシングのヒンジ線３４に沿って、一体ヒンジの形態で配置される。あるいは、ケーシングセクション１８、２０に取り付けられる機械的ヒンジ、または他の公知のヒンジが、利用され得る。
【００１５】
ケース１０の内部は、空洞３８を備え、この空洞は、第一のケーシングセクション１８の内面４０と、第二のケーシングセクション２０の内面４２との間に規定される。各ケーシングセクションの内部は、複数の個々の凹部４４を備え、これらの凹部は、図１６および１７に最もよく示される、リブ４６によって分離される。リブ４６は、ケーシングセクション１８、２０を強化することを補助する。凹部４６は、ケース１０が、動力ツール１２の第一の端部２６および第二の端部２８と嵌合することを可能にするように構成される。図示される実施形態において、コードレスの携帯型動力ドリルが記載される。他の型のツール（例えば、ねじ回し、研磨器、往復鋸、および他の公知の動力ツール）が、例示的ケース１０と共に利用され得る。コードレスの動力ツールおよびコード付きの動力ツールは、例示的ケース１０から利点を得ることができる。コードレスドリルは、本明細書中で、格納ケース１０の１つの用途の一例として記載される。明らかであるように、ケースの異なる構成が、本明細書中に記載される例に従って、異なる動力ツールのために製造され得る。
【００１６】
ケーシングセクション１８、２０の内部に形成される個々の凹部４４は、以下にさらに詳細に議論されるように、動力ツール１２の部品を、第一のケーシングセクション１８と第二のケーシングセクション２０との間に捕捉するために使用される。凹部４４はまた、動力ツール１２と共に使用するための付属品（例えば、コードレス動力ツールのための充電器、ねじおよびドリルビット、ラインコード、カバー、ツールキットまたはトレイ、および当業者に公知であるような他の付属品）を格納するために利用され得る。
【００１７】
図１６に示されるように、ベース部材２０は、深さを有し、そしてカバー部材１８は、深さを有する。図示される実施形態において、ベース部材２０は、カバー部材１８の深さより大きい深さを有する。その結果、ベース部材２０は、その内部に、動力ツール１２の、カバー部材１８が受容するより大きい部分を受容するように構成される。図示されない代替の実施形態において、カバー部材１８およびベース部材２０は、およそ同じ深さであり得るか、またはカバー部材１８は、ベース部材２０より深くあり得る。第一のケーシングセクション１８および第二のケーシングセクション２０の大きさおよび構成は、特定の用途に依存する。
【００１８】
図６および７を参照すると、格納ケース１０は、動力ツール１２の第一の端部２６を捕捉するための第一の開口部２２、および動力ツール１２の第二の端部２８を捕捉するための第二の開口部２４を有する。コードレスドリル１２の場合、第一の開口部２２は、ドリル１２の出力端部５０と連結するために、ケース１０の上端部４８の近くに規定され、そして第二の開口部２４は、ドリル１２のバッテリーパック５４と連結するために、ケース１０の底端部５２の近くに規定される。他の動力ツールは、開口部に対する異なる位置を必要とし得、例示的ケース１０は、開口部についての特定の位置に限定されない。
【００１９】
図６、７、１９および２０に図示されるように、第一の開口部２２は、ドリル１２のカラー５６およびチャック５８がベース部材２０の内部に入ることを可能にするような大きさを有する。第一の開口部２２は、ベース部材２０上の外部開口部分６０（これは、ドリル１２のカラー５６の一部分を囲む）およびベース部材２０上の内部捕捉リブ６２（これは、チャック５８とカラー５６との間に配置される）を備える。内部捕捉リブ６２は、ベース部材２０の内部に配置され、ケース１０の空洞３８内で、内部リブ４６の１つとして一体的に形成され、そしてカラー５６とチャック５８との間で、ドリル１２を部分的に囲む。内部捕捉リブ６２と外部開口部分６０との両方が、半円形の形状である。さらに、第一の開口部２２の一部分が、カバー部材１８を通して、半円形の切り抜き６４の形態で、カバー部材１８の縁部において形成される。この切り抜き６４は、カバー部材１８およびベース部材２０が閉位置に一緒に折り畳まれる場合に、ベース部材２０上の外部開口部分６０に隣接する。カバー部材１８上の半円形の切り抜き６４は、ベース部材２０上の半円形の外部開口部分６０と嵌合して、コードレスドリル１２のカラー５６全体を受容するような大きさである開口部２２を提供する。
【００２０】
第二の開口部２４は、バッテリーパック５４がハンドル部分３２と嵌合する位置で、動力ツール１２のハンドル部分３２の基部を収容するような大きさを有する。第二の開口部２４は、半円形であり、そしてベース部材２０の内部の凹部（これは、バッテリーパック５４を受容するような大きさにされる）の上方に位置する。第一の開口部２２および第二の開口部２４は、動力ツール１２の第一の端部２６および第二の端部２８を、ケース１０内に捕捉するように構成される。カバー部材１８がベース部材２０の上に折り畳まれて、ケース１０を閉じる場合、動力ツール１２は、その端部２６、２８において、ケース１０内にしっかりと保持され、そしてハンドル部分３２および動力ツール１２の本体３０の一部分は、ケース１０から延びる。動力ツール１２のハンドル３２は、ケース１０のハンドルとして働く。
【００２１】
開示される例示的ケース１０は、コードレスドリル１２を、ドリル１２上の特定の位置において捕捉されるように図示する。ケース１０は、コードレスドリル１２を、ツール１２の他の位置で捕捉するように、大きさおよび構成を変更され得る。例えば、ドリル１２は、そのカラー５６の周りではなく、その本体３０における位置で捕捉され得る。明らかであるように、開示される実施例のバリエーションが、本明細書中に提供される教示に基づいて、可能である。
【００２２】
第一のケーシングセクション１８および第二のケーシングセクション２０は、各セクションの外縁部の周りに、リップ６６を備え得る。リップ６６は、対向するケーシングセクション上の相補的なリップ６６と嵌合するように構成され得る。
【００２３】
カバー部材１８がベース部材２０上に位置づけられるようにケース１０が閉じられる場合、ケーシングセクション１８、２０は、掛金構成要素６８を介して一緒に掛金をかけられ得る。掛金構成要素６８は、可動掛金部分７０および固定留金７２を備える。可動掛金部分７０は、長さ方向で１つのケーシングセクションから隣接するケーシングセクションへと延びる細長部材の形態である。示される実施形態において、掛金部分７０は、ベース部材２０に装着され、留金７２は、カバー部材１８に装着される。掛金部分７０は、掛金部分７０が対応する留金７２と嵌合する場合に、ケース１０を閉じてロックされた位置に維持するために、留金７２と嵌合するリップ７４を備える。図６に示されるように、３つの掛金構成要素６８が提供され、互いに間隔をおいて配置される。第１の掛金は、ケース１０の上壁に沿って提供され、第２の掛金は、ケース１０の側壁上の中間位置で提供され、そして第３の掛金は、ケース１０の側壁上の下部位置に提供される。
【００２４】
各々の掛金部分７０は、ヒンジ７６を介してカバー部材１８に装着され、そして各々の留金は、ベース部材２０に装着される。示される実施形態において、ヒンジ７６は、一体ヒンジであるが、代替のタイプのヒンジが、掛金部分７０をカバー部材１８に連結するために利用され得る。所望の場合、より少ないかまたはより多い掛金部分７０が利用され得る。さらに、掛金部分７０は、代替的に、ベース部材２０上に位置づけられ得、対応する留金７２は、カバー部材１８上に位置づけられる。示されるように、掛金部分７０および対応する留金７２は、好ましくは、掛金部分７０が留金７２と接触する場合に互いに嵌合するように、互いに整列する。掛金構成要素６８は、ケーシングセクション１８、２０と一体的に形成され得るか、または任意の公知の装着機構を介して装着され得る。
【００２５】
掛金部分７０は、全て同じ大きさであり得るか、または異なる大きさであり得る。示された実施形態において、中間掛金部分７０は、上側掛金部分７０および下側掛金部分７０の長さよりも長い長さを有する。より大きい掛金部分７０は、より小さい掛金部分７０よりも強い掛金強さを提供する。示される実施形態において、中間掛金部分７０が他の掛金部分よりも強いことが好ましかったが、中間掛金部分７０は、他の掛金部分と同じ大きさであり得る。
【００２６】
図１６〜１７および図２０を参照して、内部凹部４４は、格納オーガナイザートレイ８０と嵌合するように構成され得る。示される例において、ベース部材２０は、ベース部材２０の内側リブ４６上に位置づけられる対向するチャネルまたはスロット７８を備える。対向するチャネル７８は、トレイの上端部および下端部において、格納トレイ８０と嵌合するように構成される。トレイ８０は、チャネル７８内にスライドする端部８２を有し、そしてチャネル７８は、設置された場合にベース部材２０内の適所にトレイ８０を保持する。
【００２７】
カバー１８およびベース部材２０の内部凹部４４は、格納のための品物を受容するための任意の公知の様式で構成され得る。例えば、連結要素（例えば、ドリルビットまたはネジビットを連結するための部材）は、ベース部材２０およびカバー部材１８の内部表面に装着され得るかまたは成型され得る。カバーを有するかまたは有さない個々の区画（図示しない）は、ベース部材２０およびカバー部材１８の凹部４４内に形成され得る。ラシュ（ｌａｓｈ）または他の連結器（図示せず）が提供され得る。他の代替もまた、ケース１０の内部空洞３８内に付属品を格納するために利用され得、選択肢は、本例に示されるものに限定されない。
【００２８】
ベース部材２０、カバー部材１８、掛金７０および留金７２は、１つの実施形態において、ポリプロピレン（「ＰＰ」）から作製され、そして成型プロセスの間に一体的に形成される。他のプラスチック材料が代替的に使用され得る。プラスチック以外の材料が代替的に使用され得る。ベース部材２０およびカバー部材１８は、インサート成形法または任意の公知の製造方法を使用して製造され得る。
【００２９】
図９〜１２は、付属品（例えば、ドリルビットまたは他の動力ツール付属品）を格納するために利用され得る例示の挿入格納オーガナイザートレイ８０を示す。このトレイは、プレート８６上に位置づけられる複数の連結要素８４を有するプレート８６を備える。連結要素８４は、プレート８６の面から外側に延び、そしてツールおよび付属品をプレート８６に連結するために構成される。
【００３０】
プレート８６は、第１の半体８８および第２の半体９０を備え、ブリッジ９２が、第１の半体８８と第２の半体９０との間に位置づけられる。示される実施形態において、プレート８６のプロフィールは、「Ｈ型」であり、ブリッジ９２は、「Ｈ型」の中心として形成される。ブリッジ９２は、ヒンジ線９４を備え、そしてプレート８６は、ヒンジライン９４に沿って曲がるように構成され、その結果、第１の半体８８および第２の半体９０は、互いの上部で折り畳まれる。プレート８６は、ヒンジライン９４に沿って減少した断面を有する。折り畳み格納トレイ８０は、トレイ８０が使用状態にあり格納状態ではない場合、使用者が、連結要素８４に装着される構成要素により容易にアクセスし得ながら、より大きな格納能力を可能にする。
【００３１】
図９を参照して、プレート８６は、実質的に平坦な部材であるが、平坦ではない部材が利用され得る。連結要素８４は、プレート８６の外側９６に位置づけられる。連結要素８４は、種々の付属品をプレート８６に連結するための複数の留め具を備える。このような付属品としては、ドリルビット、ネジビット、ネジ、釘、および当業者に公知の他のタイプのツールが挙げられる。連結要素８４は、プレート８６の平坦な表面上に直接位置づけられ得るか、またはプレート８６上に規定された一段高いプラットフォーム９８に位置づけられ得る。連結要素８４をプレート８６の単一の側壁上に位置づけることによって、プレート８６は、半分に折り畳まれ得、そして内側側面１００は、直接互いに接して位置づけられて、トレイ８０について可能な最も小さな幅を提供し得る。さらに、トレイ８０は、プレート８６が折り畳まれる場合に平坦な内側表面１００が互いに接するので、平坦に折り畳まれ得る。これは、格納の目的に有用である。なぜなら、この種のトレイ８０は、しばしば、格納ケース１０と関連して上で考察されるように、ケース内でぴったり合う凹部４４内に設置されるからである。
【００３２】
あるいは、示されないが、連結要素８４は、プレート８６の内側壁１００および外側壁９６の両方の上に位置づけられ得る。連結要素８４がプレート８６の内側側面上に位置づけられ得る場合、トレイ８０が適切に半分に折り畳まれ得ること、およびプレート８６が格納のために半分に折り畳まれる場合に、付属品が互いに結びつけられないことを確実にするように注意しなければならない。この場合、使用者は、全ての付属品にアクセスするために、１つの側から他の側にトレイ８０をめくる（ｆｌｉｐ）ことが必要である。
【００３３】
プレート８６は、側部縁部８２の近くで、プレート８６から垂直に延びる、外側伸長ショルダー１０２を備える。上で考察されるように、プレート８６の内側側面１００は、平坦であり、一方、プレート８６の外側側面９６は、外側伸長連結要素８４を備える。ショルダー１０２は、側部縁部８２から間隔をおいて配置され、その結果、平坦プレート８６の小さなセクションは、ショルダー１０２の位置から外側に延びる。ショルダー１０２は、連結要素８４の高さと類似の高さを有し、これらの要素に対する損傷からの保護を提供し得る。図１３および１４に示されるように、プレート８６が半分に折り畳まれる場合、ショルダー１０２および平坦プレート８６は、「Ｈ」形の側面から外側に延びる突出部１０４、および平坦プレート表面から外側に延びる連結要素８４を有する「Ｈ」形断面を形成する。図１６に示されるように、突出部１０４は、ベース部材２０の凹部４４のうちの１つの内部に位置づけられる対向したチャネルまたはスロット７８と連結するように利用される。突出部１０４は、チャネルまたはスロット７８内に適合するような形状であり、トレイ８０は、チャネルまたはスロット７８内にスライドし得る。
【００３４】
ブリッジ９２は、プレート８６に成型される一体ヒンジの形態でヒンジ１０６を備える。一体ヒンジは、ブリッジ９２上に減少した断面積で提供される。他のタイプのヒンジ（例えば、機械的ヒンジ）は、代替的に使用され得る。さらに、ブリッジ９２は、プレート８６が半分に折り畳まれる場合に外側に延びるいくつかのリッジ１０８を備える。半分に折り畳まれる場合、ブリッジ９２は、格納トレイ８０の側面から外側に延びるタブ様構造１１０を形成する。タブ様構造１１０上のリッジ１０８は、図１７に示すように、格納ケース１０内の格納位置にトレイ８０を挿入することおよび格納位置からトレイ８０を引き出すことにおいて使用者に有用であり得る。リッジ１０８は、使用者に握り表面を提供する。
【００３５】
図９に示されるように、印１１２（例えば、スタンプアートまたは図）は、プレート８６の表面上に位置づけられ得る。印１１２は、トレイ８０に格納される付属品（例えば、ビットまたは他の部品）のタイプを同定する際に使用者に有用である。印１１２はまた、トレイ８０から取り出された付属品を再び挿入しようとする場合に、使用者に助けになる注意を提供する。
【００３６】
上記トレイ８０および格納ケース１０は、使用者に便利であり、動力ツール１２および関連する付属品を１つのパッケージとして運ぶ際に携帯性を提供する。動力ツール１２の部分がケース１０の外側に位置づけられるので、格納のためのより広い余地がケース１０に提供される。ケース１０は、取り出し可能な格納トレイ８０を備え、そして外部バッテリーパックおよび充電器を保持するための余地を備える。
【００３７】
１つの実施形態において、挿入トレイ８０は、ポリプロピレン（「ＰＰ」）材料から作製され得、そして射出成型プロセスを使用して製造され得る。他のタイプの材料が挿入トレイ８０に利用され得る。他のタイプの製造プロセスが、トレイ８０を製造する際に利用され得る。連結要素８４は、製造プロセスの間にプレート８６と一体的に形成され得るか、または任意の公知の技術を使用してプレート８６に装着され得る。
【００３８】
動力ツールのためのケースは、ヒンジ線に沿って一緒に連結された、カバー部材およびベース部材を備える。これらのカバー部材およびベース部材は、このヒンジ線に沿って一緒に折り畳まれて、閉じ込められた空洞を形成するように構成される。第一の開口部が、動力ツールの第一の端部を受容するために、ケースに提供され、そして第二の開口部が、動力ツールの第二の端部を受容するために、このケースに提供される。この動力ツールのハンドルは、このケースのハンドルとして働く。格納トレイは、第一の半体および第二の半体を有するプレート部材を備える。複数の連結要素が、このプレート部材の表面に配置される。このプレート部材は、これらの連結要素が外側に面するように、ヒンジ線に沿って折り畳まれるように構成される。キャリングケースシステムもまた、記載される。
【００３９】
特許請求される実施形態の種々の特徴が上に提供されるものの、これらの特徴が単一でまたはそれらの任意の組み合わせで使用され得ることが理解されるべきである。従って、特許請求される実施形態は、本明細書中に示される特定の実施形態のみに限定されるべきではない。
【００４０】
さらに、変更および改変が、特許請求する実施形態が関係する分野の当業者に思いつき得ることが理解されるべきである。本明細書中に記載される実施形態は、例示である。この開示によって、当業者は、特許請求の範囲に記載される要素と同様に対応する代替の要素を有する実施形態を作製および使用し得る。従って、意図される範囲は、特許請求の範囲の文字通りの言葉とは異ならないまたは実質的に異ならない他の実施形態を包含し得る。従って、例示の実施形態の範囲は、添付の特許請求の範囲に記載されるように規定される。
【図面の簡単な説明】
【００４１】
【図１】図１は、動力ツールがケースに連結された、例示的ケースの斜視図である。
【図２】図２は、動力ツールがケースに連結された、例示的ケースの別の斜視図である。
【図３】図３は、動力ツールがケースに連結された、図１のケースの側面図である。
【図４】図４は、動力ツールがケースに連結された、図１のケースの後面図である。
【図５】図５は、動力ツールがケースに連結された、図１のケースの上面図である。
【図６】図６は、図１の図と類似であるが動力ツールが取り外されている、斜視図である。
【図７】図７は、図４に示されるケースの側面図である。
【図８】図８は、図４に示されるケースの上面図である。
【図９】図９は、図１〜８の例示的ケースと共に使用するための、例示的オーガナイザートレイである。
【図１０】図１０は、例示的トレイの正面図である。
【図１１】図１１は、例示的トレイの右側面図である。
【図１２】図１２は、例示的トレイの左側面図である。
【図１３】図１３は、半分に折り畳まれた、図１０のトレイの正面斜視図である。
【図１４】図１４は、図１３に示される折り畳まれたトレイの上面図である。
【図１５】図１５は、図１３に示される折り畳まれたトレイの左側面図である。
【図１６】図１６は、図１３の折り畳まれたトレイがケース内に配置するために整列された、開位置で示される、図１のケースの斜視図である。
【図１７】図１７は、折り畳まれたトレイがケース内の保持スロット内に挿入されている、図１６に示されるケースの正面図である。
【図１８】図１８は、図１６に示されるケースの上面図である。
【図１９】図１９は、動力ツールがケースへの挿入の準備ができている、図１６のケースの分解斜視図である。
【図２０】図２０は、動力ツールがケースに挿入されていること以外は図１９に示されるものと同じ、ケースおよび動力ツールの斜視図である。
【図１】
2006321003.tif 000003
【図２】
2006321003.tif 000004
【図３】
2006321003.tif 000005
【図４】
2006321003.tif 000006
【図５】
2006321003.tif 000007
【図６】
2006321003.tif 000008
【図７】
2006321003.tif 000009
【図８】
2006321003.tif 000010
【図９】
2006321003.tif 000011
【図１０】
2006321003.tif 000012
【図１１】
2006321003.tif 000013
【図１２】
2006321003.tif 000014
【図１３】
2006321003.tif 000015
【図１４】
2006321003.tif 000016
【図１５】
2006321003.tif 000017
【図１６】
2006321003.tif 000018
【図１７】
2006321003.tif 000019
【図１８】
2006321003.tif 000020
【図１９】
2006321003.tif 000021
【図２０】
2006321003.tif 000022